(57)【要約】      （修正有）【課題】愛玩動物の頭部、特に首回りの首筋やリンパ節の周囲及び後頭部を効率的に冷却することのできる愛玩動物用冷却帽を提供する。【解決手段】頭頂部、後頭部及び側頭部を被覆する冷却具封入部３を備え、冷却具封入部を頭頂部から後頭部及び側頭部に向かう方向に沿って部分袋部に区分する。部分袋部を、冷却具の幅に等しい又は冷却具の幅よりもやや大きい幅を有するものとし、冷却具が帽子部の中で移動することを防止する。二足歩行を行わない愛玩動物について、冷却具が頭部、首回りの首筋やリンパ節の周囲及び後頭部から外れてしまうことがなく、これらの部分を効率的に冷却できる。【選択図】図１
0003200058.tif 000002
【実用新案登録請求の範囲】
【請求項１】
頭部被覆する冷却具封入部を備え、
前記冷却具封入部は、頭頂から首に向かう方向に沿って区分された部分袋部を有し、
前記部分袋部は、冷却具の幅に等しい又は冷却具の幅よりもやや大きい幅を有することを特徴とする愛玩動物用冷却帽。
【請求項２】
前記冷却具封入部は、前記部分袋部に冷却具を出し入れする開口を有し、
前記開口がファスナ機構によって封止されることを特徴とする、請求項１に記載の愛玩動物用冷却帽。
【請求項３】
前記冷却具封入部は、２以上の前記部分袋部を有することを特徴とする、請求項１又は２に記載の愛玩動物用冷却帽。
【請求項４】
前記冷却具封入部は、２以上の前記部分袋部を有し、
前記ファスナ機構が２以上の前記部分袋部に共通であることを特徴とする、請求項２に記載の愛玩動物用冷却帽。
【請求項５】
愛玩動物の胴体に定着される固定部を有することを特徴とする、請求項１〜４のいずれか一項に記載の愛玩動物用冷却帽。
【考案の詳細な説明】
【技術分野】
【０００１】
本考案は、愛玩動物の頭部を冷却して保護する愛玩動物用冷却帽に関する。
【背景技術】
【０００２】
特に夏季の日照に対して頭部の過熱を防止するため、冷凍されて食品等の保冷に用いられる冷却具を頭部周辺に保持する冷却帽が知られている。特許文献１には首筋を冷却するものが、特許文献２には頭頂を冷却するものが、それぞれ開示されている。
【０００３】
特許文献１及び２に開示された冷却帽は、人間用のものである。これをそのまま愛玩動物に使用すると、以下の問題が発生してしまう。すなわち、愛玩動物は二足直立歩行をしないので、人間であれば頭頂部に対して下方になる後頭部及び側頭部が、下方にならない。すなわち、冷却具が後頭部及び側頭部に対応する箇所に配置されない。特に、首回りの首筋やリンパ節の周囲及び後頭部を冷却することが重要であるが、愛玩動物の場合には四足歩行時に首筋と後頭部が上方にあるので、冷却具をうまく配置することができない。また、愛玩動物は姿勢を変えるので、冷却具が移動してしまい、効率的な冷却が困難である。
【先行技術文献】
【特許文献】
【０００４】
【特許文献１】特開２０１２−０３６５３３号公報
【特許文献２】実用新案登録３１８１１０６号公報
【考案の概要】
【考案が解決しようとする課題】
【０００５】
本考案は、愛玩動物の頭部、特に首回りの首筋やリンパ節の周囲及び後頭部を効率的に冷却することのできる愛玩動物用冷却帽を提供することを課題とする。
【課題を解決するための手段】
【０００６】
本考案の愛玩動物用冷却帽は、
頭部被覆する冷却具封入部を備え、
前記冷却具封入部は、部分袋部を有し、
前記部分袋部は、冷却具の幅に等しい又は冷却具の幅よりもやや大きい幅を有することを特徴とする。
【０００７】
この特徴によれば、部分袋部によって冷却具の移動が防止される。頭部、首回りの首筋やリンパ節の周囲及び後頭部の冷却を愛玩動物の姿勢によらずに継続的に行うことができる。
【０００８】
本考案の愛玩動物用冷却帽は、
前記冷却具封入部は、前記部分袋部に冷却具を出し入れする開口を有し、
前記開口がファスナ機構によって封止されることを特徴とする。
【０００９】
この特徴によれば、冷却具を部分袋部に収容して安定して保持することができる。
【００１０】
本考案の愛玩動物用冷却帽は、
前記冷却具封入部は、頭頂から首に向かう方向に沿って区分された２以上の前記部分袋部を有することを特徴とする。
【００１１】
この特徴によれば、愛玩動物の頭部、首回りの首筋やリンパ節の周囲及び後頭部が冷却具よりも大きな場合には、2以上の部分袋部によって全体を冷却することができる。なお、愛玩動物の頭部、首回りの首筋やリンパ節の周囲及び後頭部が冷却具より大きいものでないならば、この特徴によらずに１のみの部分袋部でよい。
【００１２】
本考案の愛玩動物用冷却帽は、
愛玩動物の胴体に定着される固定部を有することを特徴とする。
【００１３】
この特徴によれば、愛玩動物が跳ね回ったりしても愛玩動物用冷却帽が外れずに頭部、首回りの首筋やリンパ節の周囲及び後頭部の冷却を愛玩動物の姿勢によらずに継続的に行うことができる。
【考案の効果】
【００１４】
本考案によれば、愛玩動物の頭部、特に首回りの首筋やリンパ節の周囲及び後頭部を効率的に冷却することのできる愛玩動物用冷却帽を提供することができる。
【図面の簡単な説明】
【００１５】
【図１】図１は、愛玩動物用冷却帽を示す図である。
【図２】図２は、冷却具封入部を示す図である。
【図３】図３は、愛玩動物用冷却帽の装着状態を示す図である。
【考案を実施するための形態】
【００１６】
図１は、愛玩動物用冷却帽を示す図である。愛玩動物用冷却帽１は、帽子部２と固定部６とから構成され、帽子部２には冷却具封入部３が設けられている。冷却具封入部３はファスナ４によって封止されている。なお、ファスナ４に替えて面ファスナ等を用いてもよい。なお、図１には片側のみが描かれているが、冷却具封入部３は反対側（図の裏側）にも設けられている。
【００１７】
図１において点線で示したように、冷却具封入部３は、帽子部２の内部に設けられている。すなわち、冷却具封入部３の箇所には表面のシートと内面のシートがあり、２枚のシートの間が冷却具封入部３となっている。ファスナ４を開閉して冷却具封入部３に冷却具を出し入れすることができる。なお、内面のシートは帽子として愛玩動物に接してよい。
【００１８】
図２は、冷却具封入部を示す図である。冷却具封入部３の箇所の表面のシートを除去した状態を示した図である。冷却具封入部３には、３つの部分袋部５が設けられている。部分袋部５の幅Ｗは、冷却具の幅に等しい又は冷却具の幅よりもやや大きい。また部分袋部５の深さＤは、冷却具の長さにほぼ等しい。
【００１９】
部分袋部及び冷却具封入部は、独立した袋体であってもよいが、内面のシートに別のシートを付して部分袋部及び冷却具封入部を構成することもできる（内面のシートと別のシートを合わせてポケット状の部分袋部又は冷却具封入部となる）。
【００２０】
冷却具は、部分袋部５に挿入され、ほぼ固定された位置に係止される。なお、部分袋部５の深さＤは、冷却具の長さより小さくてもよい。冷却具が部分袋部５から図の左方に突出しても問題ない。
【００２１】
部分袋部５の数を３つとしたが、１つ以上の任意の数でよい。使用する冷却具のサイズに合わせて設計すればよい。なお、頭部、首回りの首筋やリンパ節の周囲及び後頭部が冷却具よりも大きな場合愛玩動物のためには、2つ以上とすることが好ましい。
【００２２】
図３は、愛玩動物用冷却帽の装着状態を示す図である。固定部６によって愛玩動物用冷却帽１が愛玩動物７の胴体に固定され、冷却具封入部３が愛玩動物７の首回りの首筋やリンパ節の周囲及び後頭部及び側頭部、頭頂部に安定して保持される。なお、帽子部２、固定部６の具体的な形状は、愛玩動物に合わせて任意に設計してよい。愛玩動物用冷却帽１が愛玩動物から離脱してしまわないものであればよく、愛玩動物の胴体に衣服のように着用させるもの、動物の前足に巻き付けるもの、その他各種のものが考えられる。また、固定部６がなくてもよい場合も考えられ、愛玩動物用冷却帽本体と固定部とをボタン等で着脱可能にしてもよい。
【００２３】
部分袋部５が首回りの首筋やリンパ節の周囲及び後頭部から側頭部、頭頂部にかけて並んで配されている。部分袋部５に係止された冷却具は下方に移動してしまうことなく、頭部、首回りの首筋やリンパ節の周囲及び後頭部を継続的に冷却する。
【００２４】
以上詳細に説明したように、本考案の愛玩動物用冷却帽によれば、冷却具が愛玩動物の頭部の固定した位置に、愛玩動物の姿勢にかかわらずに保持される。愛玩動物の頭部の過熱を効果的に防止することができる。
【００２５】
また、冷却具の位置が固定される構造であり、愛玩動物に限らず、人間にも有効である。
【００２６】
以上に示した実施形態は、一例である。本実施形態以外の形態によっても本考案の愛玩動物用冷却帽を構成することができる。
【産業上の利用可能性】
【００２７】
愛玩動物の頭部、特に首回りの首筋やリンパ節の周囲及び後頭部を効率的に冷却することのできる愛玩動物用冷却帽である。多くの動物愛好家による利用が考えられる。
【符号の説明】
【００２８】
１    愛玩動物用冷却帽
２    帽子部
３    冷却具封入部
４    ファスナ
５    部分袋部
６    固定部
７    愛玩動物
【図１】
0003200058.tif 000003
【図２】
0003200058.tif 000004
【図３】
0003200058.tif 000005